(57)【特許請求の範囲】
【請求項１】
造営面に取り付けられる器具本体と、
前記器具本体に取り付けられる光源ユニットと、
前記器具本体に取り付けられ且つ外部からの第１電源ケーブルが接続される第１端子台とを備え、
前記器具本体は、前記造営面の法線方向において前記造営面と反対側に設けられ且つ前記光源ユニットが収納される凹部を有し、隣り合わせに配置された別の照明器具の第２端子台と前記第１端子台との間を接続する第２電源ケーブルを通すための空間が前記凹部の外側に設けられており、
前記凹部は、前記第１端子台が取り付けられる底壁部と、前記底壁部の端部から前記底壁部と交差する方向に突出する一対の側壁部とを有し、
前記一対の側壁部の各々に対して前記凹部と反対側に前記空間が設けられており、
前記一対の側壁部のうち少なくとも一方の側壁部には、前記凹部と前記空間とを繋ぐ開口部が前記第１端子台の近傍に設けられており、
前記開口部は、前記底壁部に跨るように形成されていることを特徴とする照明器具。
【請求項２】
前記別の照明器具との並設方向における前記器具本体の両端部にそれぞれ取り付けられる一対のエンドカバーを備え、
前記一対のエンドカバーの各々は、前記第２電源ケーブルを通すためのノックアウト孔を有していることを特徴とする請求項１に記載の照明器具。
【発明の詳細な説明】
【技術分野】
【０００１】
本発明は、一般に照明器具に関し、より詳細には天井などの造営面に直付けされる照明器具に関する。
【背景技術】
【０００２】
従来、天井などの造営面に直付けされる照明器具が提供されている（例えば特許文献１参照）。特許文献１に記載された照明器具は、直方体状に形成された器具本体と、器具本体から下向きに突設された一対のランプソケットと、一対のランプソケットを介して器具本体に取り付けられる蛍光ランプと、蛍光ランプに電源を供給する点灯装置とを備える。点灯装置は、器具本体の内部に収納され、外部からの電源ケーブルが接続されるとともに、各ランプソケットとの間が電線により接続される。
【先行技術文献】
【特許文献】
【０００３】
【特許文献１】特開２００６−１１４３６３号公報
【発明の概要】
【発明が解決しようとする課題】
【０００４】
上述の特許文献１に示した照明器具を長手方向に並べて設置する場合、作業者は、外部からの電源ケーブルを一方の照明器具の点灯装置に接続し、且つ別の電源ケーブルを用いて、一方の照明器具の点灯装置から他方の照明器具の点灯装置へ送り配線する。このとき、作業者は、器具本体の内部を通して電源ケーブルを送り配線することになるが、器具本体の内部には点灯装置が収納されているため、作業しにくいという問題があった。
【０００５】
本発明は上記問題点に鑑みて為されており、電源ケーブルを送り配線する際の作業性を向上させた照明器具を提供することを目的とする。
【課題を解決するための手段】
【０００６】
本発明の照明器具は、造営面に取り付けられる器具本体と、前記器具本体に取り付けられる光源ユニットと、前記器具本体に取り付けられ且つ外部からの第１電源ケーブルが接続される第１端子台とを備え、前記器具本体は、前記造営面の法線方向において前記造営面と反対側に設けられ且つ前記光源ユニットが収納される凹部を有し、隣り合わせに配置された別の照明器具の第２端子台と前記第１端子台との間を接続する第２電源ケーブルを通すための空間が前記凹部の外側に設けられており、前記凹部は、前記第１端子台が取り付けられる底壁部と、前記底壁部の端部から前記底壁部と交差する方向に突出する一対の側壁部とを有し、前記一対の側壁部の各々に対して前記凹部と反対側に前記空間が設けられており、前記一対の側壁部のうち少なくとも一方の側壁部には、前記凹部と前記空間とを繋ぐ開口部が前記第１端子台の近傍に設けられており、前記開口部は、前記底壁部に跨るように形成されていることを特徴とする。
【発明の効果】
【０００７】
本発明の構成によれば、電源ケーブルを送り配線する際の作業性を向上させた照明器具を提供することができるという効果がある。
【図面の簡単な説明】
【０００８】
【図１】本発明の実施形態に係る照明器具の分解斜視図である。
【図２】本発明の実施形態に係る照明器具の全体斜視図である。
【図３】本発明の実施形態に係る照明器具の断面図である。
【図４】本発明の実施形態に係る照明器具の施工手順を説明する説明図である。
【発明を実施するための形態】
【０００９】
本発明の実施形態に係る照明器具１０について、図１〜図４を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１０】
なお、以下の説明では特に断りがない限り、図３に示す向きにおいて上下・左右の各方向を規定し、さらに図３中の紙面に垂直な方向を前後方向（手前側が前側）と規定する。したがって、本実施形態では、器具本体１の長手方向が前後方向、器具本体１の短手方向（幅方向）が左右方向、器具本体１の高さ方向が上下方向となる。但し、これらの方向は照明器具１０の取付方向を規定するものではない。
【００１１】
本実施形態の照明器具１０は、図１に示すように天井直付け型の照明器具であって、吊ボルト２００及びナット２０１を用いて天井板１００の下面（造営面）に取り付けられる器具本体１と、器具本体１に対して着脱自在に取り付けられる光源ユニット２とを備える。
【００１２】
器具本体１は、板金に曲げ加工することにより、前後方向に長く且つ上面が開口する扁平な箱形に形成されている。器具本体１の上下方向における天井板１００と反対側（下側）には、光源ユニット２を収容するための凹部１１が器具本体１の全長に亘って設けられている。また、凹部１１の左右方向における両側には、凹部１１の開口端縁から延出し、且つ外側に行くほど上向きに傾斜する傾斜部１２，１２がそれぞれ設けられている（図３参照）。
【００１３】
凹部１１は、前後方向に長い矩形板状に形成された底壁部１１１と、底壁部１１１の左右方向における両端から上向きに突出する一対の側壁部１１２，１１２とで矩形状に形成されている。底壁部１１１には、電線を通すための孔１１１１が前後方向に沿って複数（図１では２個）設けられるとともに、吊ボルト２００を通すための孔１１１２が前後方向における両端寄りの位置にそれぞれ１個ずつ設けられている。
【００１４】
また、底壁部１１１には、天井板１００を通して室内側に露出する第１電源ケーブル４が接続される第１端子台１３が取り付けられている。この第１端子台１３は、矩形箱状に形成された本体部１３１を有し、この本体部１３１には、雌型のコネクタ１３２を有する電線１３３が接続されている。
【００１５】
さらに、凹部１１の右側の側壁部１１２には、後述の引掛片４１，４１がそれぞれ引っ掛けられる孔１１２１，１１２１が、前後方向における両端寄りの位置にそれぞれ設けられている。また、凹部１１の左側の側壁部１１２には、後述の引掛ばね４２，４２がそれぞれ引っ掛けられる引掛金具４３，４３が、前後方向における両端寄りの位置にそれぞれ取り付けられている。
【００１６】
さらに、凹部１１には、各側壁部１１２から底壁部１１１に跨るように形成された開口部１１２２（図１では片側の開口部１１２２のみ図示）が、底壁部１１１に取り付けられた第１端子台１３の近傍にそれぞれ設けられている。つまり、本実施形態では、凹部１１の側壁部１１２と側壁部１１２から連続する傾斜部１２とで囲まれる空間１２１（図３参照）と凹部１１とが開口部１１２２により繋がっている。
【００１７】
上述の器具本体１の前後方向における両端部には、図１及び図２に示すようにエンドカバー３がそれぞれ取り付けられる。各エンドカバー３は、器具本体１の前後方向における断面形状と略同じ外形形状に形成され、器具本体１の前後方向における両端部の開口を閉塞するように取り付けられる。また、各エンドカバー３は、左右方向における両端寄りの位置にノックアウト孔３１，３１を有しており、これらのノックアウト孔３１，３１を開けることで、空間１２１内を通した第２電源ケーブル６を外部に引き出すことができる。
【００１８】
光源ユニット２は、図１及び図３に示すように、ＬＥＤモジュール２２と、ＬＥＤモジュール２２が取り付けられる取付部材２１と、ＬＥＤモジュール２２を覆うようにして取付部材２１に取り付けられるカバー２３とを有する。また、光源ユニット２は、ＬＥＤモジュール２２に電源を供給する電源装置２４と、天井板１００を通して室内側に露出する信号ケーブル５が接続される端子台２５とを有する。
【００１９】
ＬＥＤモジュール２２は、前後方向に長い矩形板状に形成された基板２２１を有する。基板２２１の下面には、複数のＬＥＤ（発光ダイオード）２２２が前後方向（長手方向）に沿って実装されている。また、基板２２１の前端部には、電源装置２４との間を電気的に接続するためのコネクタ（図示せず）が実装されている。このコネクタには電線（図示せず）が接続されており、電線の端部を電源装置２４に接続することでＬＥＤモジュール２２と電源装置２４とが電気的に接続される。
【００２０】
取付部材２１は、板金に曲げ加工することによりＵ字状に形成され、前後方向に長い矩形板状に形成された底面部２１１と、底面部２１１の左右方向（幅方向）における両端から上向きに突出する一対の側面部２１２，２１２とで構成される。各側面部２１２の先端には、円形に折り曲げることにより形成された引掛部２１２１が全長に亘って設けられている（図３参照）。
【００２１】
また、底面部２１１の左端部には、器具本体１の引掛金具４３，４３にそれぞれ引っ掛けられる引掛ばね４２，４２が、前後方向における両端寄りの位置にそれぞれ設けられている。さらに、底面部２１１の右端部には、器具本体１の孔１１２１，１１２１にそれぞれ引っ掛けられる引掛片４１，４１が、前後方向における両端寄りの位置にそれぞれ設けられている。
【００２２】
カバー２３は、拡散性を有する材料（例えば乳白色のアクリル樹脂）からなり、前後方向に長く且つ上面（取付部材２１側の面）が開口する箱形に形成されている（図１及び図２参照）。また、カバー２３は、左右方向（幅方向）において両端部から中央部に近づくほど下側への突出量が大きくなるような凸レンズ形状の曲面部２３１を有している（図３参照）。
【００２３】
カバー２３の左右方向における両端部には、図３に示すように、光源ユニット２を器具本体１に取り付けた状態で、上下方向において器具本体１の凹部１１の開口端縁と重なる延出部２３２がそれぞれ設けられている。さらに、カバー２３の左右方向において各延出部２３２の内側には、上向き（取付部材２１側）に突出する突壁部２３３がそれぞれ全長に亘って設けられており、各突壁部２３３の先端には内向きに突出する突起部２３３１がそれぞれ設けられている。
【００２４】
電源装置２４は、前後方向に長い矩形箱状に形成されたケース２４１を有する。ケース２４１の内部には、ＬＥＤ２２２への供給電源を生成するための電源回路を構成する電子部品が実装された基板（図示せず）が収納されている。また、電源装置２４の入力側には、雄型のコネクタ２４２を有する電線２４３が接続されている。なお、コネクタ２４２は、上記基板に実装されていてもよい。
【００２５】
次に、光源ユニット２の組立手順について説明する。まず最初に、作業者は、取付部材２１の上面側に電源装置２４を取り付けるとともに、ＬＥＤ２２２が下側を向くようにして取付部材２１の底面部２１１の下面にＬＥＤモジュール２２を取り付ける。このとき、作業者は、例えば取付部材２１の底面部２１１の一部を切り起こすことで形成された爪（図示せず）を用いて、取付部材２１の底面部２１１にＬＥＤモジュール２２を固定する。
【００２６】
さらに、作業者は、ＬＥＤモジュール２２の基板２２１に実装されたコネクタ（図示せず）から導出する電線（図示せず）を電源装置２４に接続する。そして最後に、作業者は、開口側を上向きにした状態でカバー２３を取付部材２１に取り付ける。このとき、カバー２３の各突壁部２３３の突起部２３３１が、取付部材２１の対応する側面部２１２の引掛部２１２１に引っ掛かることで、カバー２３が取付部材２１に取り付けられる。以上のような手順に従って、光源ユニット２が組み立てられる。
【００２７】
続けて、照明器具１０の施工手順について説明する。なお、以下では、第１端子台１３が予め器具本体１に取り付けられているものとして説明する。
【００２８】
まず最初に、作業者は、天井板１００を通して室内側に露出する第１電源ケーブル４及び信号ケーブル５（図１参照）をそれぞれ器具本体１の孔１１１１，１１１１に通すとともに、天井板１００を通して室内側に露出する吊ボルト２００を孔１１１２に通す。さらに、作業者は、各吊ボルト２００にワッシャー２０２を通した後、ナット２０１を吊ボルト２００にねじ込んで器具本体１を天井板１００の下面に固定する。
【００２９】
その後、作業者は、第１電源ケーブル４の端部を第１端子台１３に接続するとともに、光源ユニット２の各引掛片４１を器具本体１の対応する孔１１２１に引っ掛けて、光源ユニット２を器具本体１に仮保持させる。次に、作業者は、光源ユニット２を器具本体１に仮保持させた状態のまま、第１端子台１３のコネクタ１３２と電源装置２４のコネクタ２４２とを接続するとともに、信号ケーブル５を端子台２５に接続する。
【００３０】
そして最後に、作業者は、器具本体１の孔１１２１を支点として光源ユニット２を回転させ、光源ユニット２を器具本体１に取り付ける。このとき、光源ユニット２の各引掛ばね４２が器具本体１の対応する引掛金具４３に引っ掛かることで、光源ユニット２が器具本体１に取り付けられる。以上のような手順に従って、照明器具１０の施工が完了する（図２及び図３参照）。
【００３１】
ところで、上述の照明器具１０を前後方向に並べて設置した場合、一方の照明器具１０には天井板１００から露出する第１電源ケーブル４が接続される。また、他方の照明器具１０には、一方の照明器具１０からの第２電源ケーブル６が送り配線され、この第２電源ケーブル６を介して電源が供給される。つまりこの場合、一方の照明器具１０から他方の照明器具１０へ第２電源ケーブル６を送り配線する作業が必要になる。
【００３２】
その際、器具本体１の凹部１１内を通して第２電源ケーブル６を送り配線することもできるが、凹部１１内には第１端子台１３や引掛金具４３が取り付けられているため、作業しにくいという問題がある。そこで、本実施形態では、上述の空間１２１を利用して第２電源ケーブル６を送り配線している。以下、第２電源ケーブル６の施工手順について具体的に説明する。
【００３３】
作業者は、一方（図４中の右側）の照明器具１０の第１端子台１３に第２電源ケーブル６の一端を接続し、開口部１１２２を通して第２電源ケーブル６を空間１２１側に引き込む。その後、作業者は、第２電源ケーブル６を空間１２１に沿って前後方向に配線し、エンドカバー３のノックアウト孔３１を通して第２電源ケーブル６を外側に引き出す。
【００３４】
続けて、作業者は、他方（図４中の左側）の照明器具１０のエンドカバー３のノックアウト孔３１を通して器具本体１の空間１２１内に第２電源ケーブル６を引き込む。そして最後に、作業者は、空間１２１内を通した第２電源ケーブル６を開口部１１２２から凹部１１内に引き込み、第２電源ケーブル６の他端を第２端子台１４に接続する。以上のような手順に従って、第２電源ケーブル６の施工が完了する。
【００３５】
ここに、本実施形態では、第２電源ケーブル６だけでなく、信号ケーブルも送り配線する必要があるが、信号ケーブルについては、凹部１１に対して第２電源ケーブル６を配線した空間１２１と反対側の空間１２１に配線するのが好ましい。これにより、第２電源ケーブル６と信号ケーブルとを分けて配線することができ、第２電源ケーブル６から放射されるノイズの影響を抑えることができる。なお、信号ケーブルの施工手順については、上述の第２電源ケーブル６と同様であり、ここでは説明を省略する。
【００３６】
上述のように、本実施形態では、一方の照明器具１０から他方の照明器具１０へ第２電源ケーブル６や信号ケーブルを送り配線する際に、凹部１１の左右方向における両側に設けられた空間１２１を利用している。そのため、第１端子台１３や引掛金具４３が取り付けられた凹部１１内を通して第２電源ケーブル６や信号ケーブルを送り配線する場合に比べて、配線作業性を向上することができる。
【００３７】
また、本実施形態のように、凹部１１の側壁部１１２から底壁部１１１に跨るように開口部１１２２を設けた場合には、第２電源ケーブル６や信号ケーブルを開口部１１２２に通しやすくなり、凹部１１側に引き出す際の作業性が向上するという利点がある。さらに、本実施形態のように、第２電源ケーブル６が接続される第１端子台１３の近傍に開口部１１２２を設けた場合には、作業しにくい凹部１１内での作業が少なくて済むという利点がある。
【００３８】
また、本実施形態のように、エンドカバー３にノックアウト孔３１を設けた場合には、第２電源ケーブル６や信号ケーブルを通す必要のないエンドカバー３についてはノックアウト孔３１を開けなくてもよい。そのため、通線孔が予め開けられたエンドカバーを用いた場合に比べて、外観の低下を抑えることができる。
【００３９】
なお、本実施形態では、天井板１００の下面が造営面である場合を例に説明したが、例えば壁板の表面が造営面であってもよい。また、本実施形態では、両側の側壁部１１２，１１２にそれぞれ開口部１１２２，１１２２を設けたが、少なくとも一方の側壁部１１２に開口部１１２２を設けていればよい。さらに、本実施形態では、側壁部１１２から底壁部１１１に跨るように開口部１１２２を設けたが、少なくとも側壁部１１２に開口部１１２２が設けられていればよい。
【００４０】
以上説明したように、本実施形態の照明器具１０は、器具本体１と、光源ユニット２と、第１端子台１３とを備える。器具本体１は、天井板１００の下面（造営面）に取り付けられる。光源ユニット２は、器具本体１に取り付けられる。第１端子台１３は、器具本体１に取り付けられ、且つ外部からの第１電源ケーブル４が接続される。器具本体１は、天井板１００の下面の法線方向において天井板１００と反対側に設けられ、且つ光源ユニット２が収納される凹部１１を有する。また、器具本体１は、隣り合わせに配置された別の照明器具１０の第２端子台１４と第１端子台１３との間を接続する第２電源ケーブル６を通すための空間１２１が凹部１１の外側に設けられている。
【００４１】
上記構成によれば、隣り合わせに配置された別の照明器具１０への送り配線である第２電源ケーブル６を空間１２１に配線することができるので、第１端子台１３が取り付けられた凹部１１内を配線する場合に比べて作業性を向上することができる。
【００４２】
また、本実施形態の照明器具１０のように、凹部１１は、第１端子台１３が取り付けられる底壁部１１１と、底壁部１１１の端部から底壁部１１１と交差する方向に突出する一対の側壁部１１２とを有するのが好ましい。この場合、一対の側壁部１１２の各々に対して凹部１１と反対側に空間１２１が設けられている。そして、一対の側壁部１１２のうち少なくとも一方の側壁部１１２には、凹部１１と空間１２１とを繋ぐ開口部１１２２が第１端子台１３の近傍に設けられている。
【００４３】
上記構成によれば、第１端子台１３の近傍に開口部１１２２を設けているので、作業しにくい凹部１１内での作業が少なくて済むという利点がある。
【００４４】
また、本実施形態の照明器具１０のように、開口部１１２２は、底壁部１１１に跨るように形成されているのが好ましい。
【００４５】
上記構成によれば、側壁部１１２から底壁部１１１に跨るように開口部１１２２を形成しているので、第２電源ケーブル６を開口部１１２２に通しやすいという利点がある。
【００４６】
また、本実施形態の照明器具１０のように、別の照明器具１０との並設方向における器具本体１の両端部にそれぞれ取り付けられる一対のエンドカバー３を備えるのが好ましい。この場合、一対のエンドカバー３の各々は、第２電源ケーブル６を通すためのノックアウト孔３１を有している。
【００４７】
上記構成によれば、第２電源ケーブル６を通す必要のないエンドカバー３についてはノックアウト孔３１を開けなくてもよく、通線孔が予め開けられたエンドカバーを用いた場合に比べて、外観の低下を抑えることができる。
【符号の説明】
【００４８】
１  器具本体
２  光源ユニット
４  第１電源ケーブル
６  第２電源ケーブル
１０  照明器具
１１  凹部
１３  第１端子台
１４  第２端子台
１００  天井板
１２１  空間
【図１】
0006372779.tif 000002
【図２】
0006372779.tif 000003
【図３】
0006372779.tif 000004
【図４】
0006372779.tif 000005